(57)【特許請求の範囲】
【請求項１】
透光性を有すると共に、中空形状を呈し、上部と、底部と、前記上部に形成されると共に、上方へ突出する２つ以上の挿嵌部と、前記底部に形成され、前記挿嵌部に対応する２つ以上の嵌入孔とを有する積木ブロックと、
前記積木ブロック内に配置され、夫々、正極導電部材と負極導電部材とを有し、各前記正極導電部材は、両端と、該両端に夫々形成され、前記挿嵌部の内側に位置する第１正極接続部及び前記嵌入孔の内側に位置する第２正極接続部とを有し、各前記負極導電部材は、両端と、該両端に夫々形成され、前記挿嵌部の内側に位置する第１負極接続部及び前記嵌入孔の内側に位置する第２負極接続部とを有する２つ以上の電気接続モジュールと、
前記積木ブロックに設けられ、夫々１つ以上の電気接続モジュールの正極導電部材及び負極導電部材に電気接続される１つ以上の発光素子とを有することを特徴とする電気接続構造を備えた発光積木。
【請求項２】
前記電気接続モジュールは、固定柱を有し、
前記電気接続モジュールの正極導電部材及び負極導電部材は、互いに接触しないように、前記固定柱に設置されることを特徴とする請求項１に記載の電気接続構造を備えた発光積木。
【請求項３】
前記正極導電部材の一端に形成される第１正極接続部は、前記固定柱の上端に位置し、
前記正極導電部材の第２正極接続部は、前記固定柱の下端から突出することを特徴とする請求項２に記載の電気接続構造を備えた発光積木。
【請求項４】
前記負極導電部材の一端に形成される第１負極接続部は、前記固定柱の上端の近傍を挿嵌させ、中空形状を呈すると共に、外環壁を有するものであり、該外環壁は、前記挿嵌部の内壁に位置されると共に、前記挿嵌部の内径に対応する外径を有することを特徴とする請求項３に記載の電気接続構造を備えた発光積木。
【請求項５】
前記電気接続モジュールの固定柱は、前記固定柱の上端の近傍に形成され、前記積木ブロックの上部における内側に係止される円盤状の上固定部と、前記固定柱の下端の近傍に形成され、径方向へ延出される、前記負極導電部材を固定するための下固定部とを具備し、
前記固定柱における、前記上固定部から前記固定柱の上端までの部分は、前記積木ブロックの上部から突出することを特徴とする請求項４に記載の電気接続構造を備えた発光積木。
【請求項６】
前記電気接続モジュールの正極導電部材は主に、上電気接続端子と、下電気接続端子と、スプリングとからなり、前記上電気接続端子及び下電気接続端子の一端は、夫々前記固定柱の両端から突出し、第１正極接続部及び第２正極接続部を構成し、前記上電気接続端子及び下電気接続端子の他端は、前記スプリングに当接され、
前記負極導電部材の第１負極接続部は、前記負極導電部材の一端に形成され、前記第１正極接続部の周辺に位置し、上から下へ行くほど螺旋が小径であるテーパー状のコイルスプリングであり、
前記負極導電部材の第２負極接続部は、前記負極導電部材のもう一端に形成される湾曲状の弾性プレートであることを特徴とする請求項２に記載の電気接続構造を備えた発光積木。
【請求項７】
各前記電気接続モジュールは前記正極導電部材及び負極導電部材により前記発光素子に並列接続され、
前記電気接続構造を備えた発光積木は、回路基板を有し、
前記発光素子は、前記回路基板に設けられる発光ダイオードからなることを特徴とする請求項１乃至請求項６の何れか一項に記載の電気接続構造を備えた発光積木。
【請求項８】
各前記電気接続モジュールは、各自独立に前記１つの発光素子に電気接続され、
前記電気接続構造を備えた発光積木は、底面を有する回路基板を有し、
前記発光素子は、前記回路基板に設けられる発光ダイオードからなることを特徴とする請求項１乃至請求項６の何れか一項に記載の電気接続構造を備えた発光積木。
【請求項９】
前記電気接続構造を備えた発光積木は、前記積木ブロック内に設けられる１つ以上の電池を有し、
前記回路基板は、前記回路基板の底面における、前記積木ブロックの底部に形成される２つ以上の嵌入孔の内の１つの嵌入孔に対応する箇所に設けられる、前記発光ダイオードと電池との電気接続状態を制御するためのスイッチを有することを特徴とする請求項７または請求項８に記載の電気接続構造を備えた発光積木。
【請求項１０】
中空形状を呈し、上部とを有する給電部材本体と、
前記給電部材本体の上部に形成され、請求項１乃至請求項９の何れか一に記載の電気接続構造を備えた発光積木における、積木ブロックの底部に形成される嵌入孔に対応する１つ以上の挿嵌部と、
前記給電部材本体の上部に形成される挿嵌部に配置されると共に、前記積木ブロックの底部に形成される嵌入孔の内側に位置する第２正極接続部及び第２負極接続部に夫々対応し、夫々１つ以上の電池に電気接続されるための１つの正極電極プレート及び負極電極プレートとを有することを特徴とする発光積木用給電部材。
【発明の詳細な説明】
【技術分野】
【０００１】
本発明は、特に電気接続構造を備え、挿嵌されると同時に電気接続されることにより、内部の発光素子に給電する発光積木に関するものである。
【背景技術】
【０００２】
産業の発展及び技術の発達により、従来の玩具より活発に楽しめる効果を提供することができるが、例えば積木など一部の伝統的な玩具は今も尚愛用されている。
【０００３】
例えば特許文献１などに示す従来の積木は、一定の遊び方がないが、異なる形状の積木ブロックにより多様な構成を組み立てることができるので、幼児の発想力を活発させると共に、幼児の目と手との協調性を発達させることができる、娯楽性及び教育性を共に備える玩具とされており、今でも人気が萎えていないものである。
【先行技術文献】
【特許文献】
【０００４】
【特許文献１】特開２００２−０５２２６５号公報
【発明の概要】
【発明が解決しようとする課題】
【０００５】
しかしながら、従来の積木は娯楽性及び教育性を共に備える玩具であるが、幼児に積木を遊ばせ、教育性を発揮させるためには、例えば発光効果などにより、幼児の積木に対する興味をそそる魅力的な外観を提供すことがこのましい。しかしながら、積木は本来簡単な構造からなるものであるので、過度に複雑な構造を用いずに、如何に発光効果を提供するかと言った課題があった。
【０００６】
そこで、出願されたのが本発明であって、組み立てられた積木ブロックを電気接続させ、給電回路を構成し、積木ブロックの内部の発光素子に給電し点灯させる事により、娯楽効果を向上させる電気接続構造を備えた発光積木を提供することを目的としている。
【課題を解決するための手段】
【０００７】
本願の請求項１の発明は、透光性を有すると共に、中空形状を呈し、上部と、底部と、前記上部に形成されると共に、上方へ突出する２つ以上の挿嵌部と、前記底部に形成され、前記挿嵌部に対応する２つ以上の嵌入孔とを有する積木ブロックと、
前記積木ブロック内に配置され、夫々、正極導電部材と負極導電部材とを有し、各前記正極導電部材は、両端と、該両端に夫々形成され、前記挿嵌部の内側に位置する第１正極接続部及び前記嵌入孔の内側に位置する第２正極接続部とを有し、各前記負極導電部材は、両端と、該両端に夫々形成され、前記挿嵌部の内側に位置する第１負極接続部及び前記嵌入孔の内側に位置する第２負極接続部とを有する２つ以上の電気接続モジュールと、
前記積木ブロックに設けられ、夫々１つ以上の電気接続モジュールの正極導電部材及び負極導電部材に電気接続される１つ以上の発光素子とを有することを特徴とする電気接続構造を備えた発光積木、を提供する。
【０００８】
本願の請求項２の発明は、前記電気接続モジュールは、固定柱を有し、
前記電気接続モジュールの正極導電部材及び負極導電部材は、互いに接触しないように、前記固定柱に設置されることを特徴とする請求項１に記載の電気接続構造を備えた発光積木、を提供する。
【０００９】
本願の請求項３の発明は、前記正極導電部材の一端に形成される第１正極接続部は、前記固定柱の上端に位置し、
前記正極導電部材の第２正極接続部は、前記固定柱の下端から突出することを特徴とする請求項２に記載の電気接続構造を備えた発光積木、を提供する。
【００１０】
本願の請求項４の発明は、前記負極導電部材の一端に形成される第１負極接続部は、前記固定柱の上端の近傍を挿嵌させ、中空形状を呈すると共に、外環壁を有するものであり、該外環壁は、前記挿嵌部の内壁に位置されると共に、前記挿嵌部の内径に対応する外径を有することを特徴とする請求項３に記載の電気接続構造を備えた発光積木、を提供する。
【００１１】
本願の請求項５の発明は、前記電気接続モジュールの固定柱は、前記固定柱の上端の近傍に形成され、前記積木ブロックの上部における内側に係止される円盤状の上固定部と、前記固定柱の下端の近傍に形成され、径方向へ延出される、前記負極導電部材を固定するための下固定部とを具備し、
前記固定柱における、前記上固定部から前記固定柱の上端までの部分は、前記積木ブロックの上部から突出することを特徴とする請求項４に記載の電気接続構造を備えた発光積木、を提供する。
【００１２】
本願の請求項６の発明は、前記電気接続モジュールの正極導電部材は主に、上電気接続端子と、下電気接続端子と、スプリングとからなり、前記上電気接続端子及び下電気接続端子の一端は、夫々前記固定柱の両端から突出し、第１正極接続部及び第２正極接続部を構成し、前記上電気接続端子及び下電気接続端子の他端は、前記スプリングに当接され、
前記負極導電部材の第１負極接続部は、前記負極導電部材の一端に形成され、前記第１正極接続部の周辺に位置し、上から下へ行くほど螺旋が小径であるテーパー状のコイルスプリングであり、
前記負極導電部材の第２負極接続部は、前記負極導電部材のもう一端に形成される湾曲状の弾性プレートであることを特徴とする請求項２に記載の電気接続構造を備えた発光積木、を提供する。
【００１３】
本願の請求項７の発明は、各前記電気接続モジュールは前記正極導電部材及び負極導電部材により前記発光素子に並列接続され、
前記電気接続構造を備えた発光積木は、回路基板を有し、
前記発光素子は、前記回路基板に設けられる発光ダイオードからなることを特徴とする請求項１乃至請求項６の何れか一項に記載の電気接続構造を備えた発光積木、を提供する。
【００１４】
本願の請求項８の発明は、各前記電気接続モジュールは、各自独立に前記１つの発光素子に電気接続され、
前記電気接続構造を備えた発光積木は、底面を有する回路基板を有し、
前記発光素子は、前記回路基板に設けられる発光ダイオードからなることを特徴とする請求項１乃至請求項６の何れか一項に記載の電気接続構造を備えた発光積木、を提供する。
【００１５】
本願の請求項９の発明は、前記電気接続構造を備えた発光積木は、前記積木ブロック内に設けられる１つ以上の電池を有し、
前記回路基板は、前記回路基板の底面における、前記積木ブロックの底部に形成される２つ以上の嵌入孔の内の１つの嵌入孔に対応する箇所に設けられる、前記発光ダイオードと電池との電気接続状態を制御するためのスイッチを有することを特徴とする請求項７または請求項８に記載の電気接続構造を備えた発光積木、を提供する。
【００１６】
本願の請求項１０の発明は、中空形状を呈し、上部とを有する給電部材本体と、
前記給電部材本体の上部に形成され、請求項１乃至請求項９の何れか一に記載の電気接続構造を備えた発光積木における、積木ブロックの底部に形成される嵌入孔に対応する１つ以上の挿嵌部と、
前記給電部材本体の上部に形成される挿嵌部に配置されると共に、前記積木ブロックの底部に形成される嵌入孔の内側に位置する第２正極接続部及び第２負極接続部に夫々対応し、夫々１つ以上の電池に電気接続されるための１つの正極電極プレート及び負極電極プレートとを有することを特徴とする発光積木用給電部材、を提供する。
【発明の効果】
【００１７】
本発明の電気接続構造を備えた発光積木の前記積木ブロックを互いに挿嵌させ、即ち１つの積木ブロックの挿嵌部をもう１つの積木ブロックの嵌入孔に挿入させると、該挿嵌部の内側に位置する第１正極接続部及び第１負極接続部と、前記嵌入孔の内側に位置する第２正極接続部及び第２負極接続部とが互いに接触し、給電回路を構成させるように電気接続されるので、互いに挿嵌された積木ブロック内の発光素子を点灯させ、視覚効果を向上させることができる。
【００１８】
本発明の発光積木用給電部材は、発光積木へ給電するためのものである。該発光積木用給電部材は、正極電極プレート及び負極電極プレートにより、前記積木ブロック内の電気接続モジュールを通して、前記発光素子に送電し点灯させることができる
【図面の簡単な説明】
【００１９】
【図１】本発明に係る電気接続構造を備えた発光積木の第１実施例の斜視図である。
【図２】本発明に係る電気接続構造を備えた発光積木の第１実施例の斜視図である。
【図３】本発明に係る電気接続構造を備えた発光積木の第１実施例の側面断面図である。
【図４Ａ】本発明に係る電気接続構造を備えた発光積木の第１実施例の電気接続モジュールと発光ダイオードとの電気接続形態を示す回路図である。
【図４Ｂ】本発明に係る電気接続構造を備えた発光積木の第１実施例の電気接続モジュールと発光ダイオードとの他の電気接続形態を示す回路図である。
【図４Ｃ】本発明に係る電気接続構造を備えた発光積木の第１実施例の電気接続モジュールと発光ダイオードとの他の電気接続形態を示す回路図である。
【図５】本発明に係る電気接続構造を備えた発光積木の第１実施例の組立状態を示す部分側面断面図である。
【図６】本発明に係る電気接続構造を備えた発光積木の第２実施例の側面断面図である。
【図７】本発明に係る電気接続構造を備えた発光積木の第２実施例の組立状態を示す部分側面断面図である。
【図８】本発明に係る電気接続構造を備えた発光積木の第３実施例の斜視図である。
【図９】本発明に係る電気接続構造を備えた発光積木の第４実施例の斜視図である。
【発明を実施するための形態】
【００２０】
以下、添付図面を参照して本発明の好適な実施の形態を詳細に説明する。
【００２１】
図１及び図２に示すように、第１実施例において、本発明の電気接続構造を備えた発光積木は、透光性を有すると共に、中空形状を呈する積木ブロック１０と、前記積木ブロック１０内に配置される２つ以上の電気接続モジュールと、前記積木ブロック１０に設けられる１つ以上の発光素子とを有する。
【００２２】
前記積木ブロック１０は、上部と、底部と、前記上部に形成されると共に、上方へ突出する２つ以上の挿嵌部１１と、前記底部に形成され、前記挿嵌部１１に対応する２つ以上の嵌入孔１２とを有する矩形の立方体である。本実施例において、前記積木ブロック１０の上部には、４つの挿嵌部１１がマトリクス状に対称に配置され、前記積木ブロック１０の底部には、４つの嵌入孔１２が前記４つの挿嵌部１１と同様に配置される。
【００２３】
さらに図３に示すように、前記積木ブロック１０内に配置される２つ以上の電気接続モジュールの数量は、前記挿嵌部１１の数量に対応するものである。故に、本実施例における積木ブロック１０内には、４つの電気接続モジュールが配置される。各前記電気接続モジュールは、固定柱２０と、正極導電部材２１と、負極導電部材２２とを有する。
【００２４】
前記固定柱２０は、上端と、下端と、外径と、前記固定柱２０の上端の近傍に形成され、前記積木ブロック１０の上部における内側に係止される円盤状の上固定部２０１と、前記固定柱２０の下端の近傍に形成され、径方向へ延出される、前記負極導電部材２２を固定するための下固定部２０２とを具備する。前記固定柱２０における、前記上固定部２０１から前記固定柱２０の上端までの部分は、前記積木ブロック１０の上部から突出する。
【００２５】
各前記正極導電部材２１は、両端と、該両端に夫々形成され、前記挿嵌部１１の内側に位置する第１正極接続部２１１及び前記嵌入孔１２の内側に位置する第２正極接続部２１２とを有する。本実施例においては、前記正極導電部材２１は細長いロッド状を呈し、軸方向に沿って前記固定柱２０の内部に貫設される。前記正極導電部材２１の一端に形成される第１正極接続部２１１は、プレート状を呈すると共に、前記固定柱２０の上端に位置する。前記第２正極接続部２１２は、螺旋状を呈し、前記嵌入孔１２の内側における、前記固定柱２０の下端から突出する。
【００２６】
各前記負極導電部材２２は、両端と、該両端に夫々形成され、前記挿嵌部の内側に位置する第１負極接続部及び前記嵌入孔の内側に位置する第２負極接続部とを有する。本実施例においては、各前記負極導電部材２２は、細長いプレート状を呈する本体を有し、前記第１負極接続部２２１は、ボウル状を呈するものである。前記負極導電部材２２の一端に形成される第１負極接続部２２１は、外環壁と、内環壁と、前記外環壁と内環壁との間に位置する底部とを有し、前記外環壁は、前記挿嵌部の内壁に位置されると共に、前記挿嵌部１１の内径に対応する外径を有する。また、前記第１負極接続部２２１は、中空形状を呈すると共に、前記固定柱２０の上端の近傍を挿嵌させる。本実施例において、前記第１負極接続部２２１は、中央部と、前記中央部に形成され、辺縁を有する貫通穴とを有し、前記第１負極接続部２２１の内環壁は、前記貫通穴の辺縁から上方へ延出し、前記固定柱２０の外径に対応する内径を有する。前記第１負極接続部２２１は、前記第１負極接続部２２１の内環壁により、前記固定柱２０の上端の近傍を挿嵌させ位置決めするものである。
【００２７】
また、前記負極導電部材２２の第２負極接続部２２２は、前記負極導電部材２２における前記第１負極接続部２２１の反対側のもう一端に形成され、前記積木ブロック１０の嵌入孔の内側における上方の箇所に位置する湾曲状の弾性プレートである。
【００２８】
前記積木ブロック１０に設けられる１つ以上の発光素子は、前記１つ以上の電気接続モジュールの正極導電部材２１及び負極導電部材２２に電気接続されるものである。本実施例における電気接続構造を備えた発光積木は、導線３３と底面とを備える回路基板３２を有する。前記発光素子は、前記回路基板３２に設けられ、前記導線３３により１つ以上の電気接続モジュールの正極導電部材２１及び負極導電部材２２に電気接続される発光ダイオード３１からなるものである。
【００２９】
前記発光ダイオード３１からなる発光素子と、前記正極導電部材２１及び負極導電部材２２とを電気接続させる実施形態は、例えば図４Aに示すように、各前記電気接続モジュールは前記正極導電部材２１及び負極導電部材２２により前記発光ダイオード３１に並列接続されるものである。これにより、何れか１つの電気接続モジュールの前記正極導電部材２１及び負極導電部材２２を電源に電気接続させると、前記回路基板３２に設けれる前記発光ダイオード３１を点灯させることができる。
【００３０】
また、前記発光ダイオード３１の数量及び各電気接続モジュールの前記正極導電部材２１及び負極導電部材２２の電気接続形態は、上述したようなもの以外、下記のような電気接続形態を用いても良い。
【００３１】
図４Bに示すように、各前記電気接続モジュールは、各自独立に前記１つの発光素子に電気接続されてもよい。前記実施例を例にすれば、前記積木ブロック１０は、４つの電気接続モジュールと、４つの発光ダイオード３１とを有し、前記４つの電気接続モジュールの何れか１つの電気接続モジュールの前記正極導電部材２１及び負極導電部材２２を電源に電気接続させると、該正極導電部材２１及び負極導電部材２２に電気接続される前記発光ダイオード３１を点灯させることができる。
【００３２】
また、図４Cに示すように、前記電気接続モジュールの前記正極導電部材２１及び負極導電部材２２は一対ごとに前記発光ダイオード３１に並列接続されるものである。前記実施例を例にすれば、前記積木ブロック１０は、４つの電気接続モジュールと、２つの発光ダイオード３１とを有する。前記４つの電気接続モジュールの内、２つの電気接続モジュールを一対に、互いの正極導電部材２１及び負極導電部材２２が並列接続され、互い並列接続された正極導電部材２１及び負極導電部材２２はさらに１つの前記１つの発光ダイオード３１に電気接続される。これにより、何れか１つの電気接続モジュールの正極導電部材２１及び負極導電部材２２が電源に電気接続されると、該正極導電部材２１及び負極導電部材２２に電気接続される前記発光ダイオード３１を点灯させることができるが、該電気接続モジュールと並列接続されていない発光ダイオード３１を点灯させない。
【００３３】
なお、発光素子へ給電するために、前記１つの積木ブロック１０の内部に電源を設置してもよい。即ち、本発明に係る電気接続構造を備えた発光積木は、さらに前記積木ブロック内に設けられる１つ以上の電池（図面にない）を有してもよい。前記電池は、前記回路基板３２に設けれも良い。
【００３４】
前記回路基板３２は、前記回路基板３２の底面に設けられる、前記発光ダイオードと電池との電気接続状態、即ち給電回路の開閉を制御するためのスイッチ３４を有する。また、前記スイッチ３４は、前記回路基板３２の底面における、前記積木ブロックの底部に形成される２つ以上の嵌入孔の内の１つの嵌入孔に対応する箇所に設けられ、使用者が便利に前記嵌入孔１２で前記スイッチ３４を操作できるものであることが好ましい。
【００３５】
上述した給電手段以外に、前記積木ブロック１０と、挿嵌部及び電気接続手段を備える発光積木用給電部材とを電気接続させることによる電気供給を行っても良い。
【００３６】
図５に示すように、前記発光積木用給電部材４０は、給電部材本体と、１つ以上の挿嵌部４１と、前記挿嵌部４１に配置される正極電極プレート４２及び負極電極プレート４３とを有する。
給電部材本体は、中空形状を呈し、上部とを有する。前記正極電極プレート４２及び負極電極プレート４３は、前記積木ブロック１０の挿嵌部１１の内側に位置する第１正極接続部２１１及び第１負極接続部２２１に同様な形状を有すると共に、夫々１つ以上の電池（図面にない）に電気接続される。
【００３７】
前記積木ブロック１０の嵌入孔１２と、前記発光積木用給電部材４０の挿嵌部４１とを嵌合させると、前記嵌入孔１２の内側に位置する第２正極接続部２１２及び第２正極接続部２２２と、前記発光積木用給電部材４０の正極電極プレート４２及び負極電極プレート４３とが夫々電気接続されるので、前記発光積木用給電部材４０から前記積木ブロック１０内の電気接続モジュールを通して、前記積木ブロック１０内の回路基板３２に設けられる発光ダイオード３１に給電し点灯させることができる。
【００３８】
前記積木ブロック１０にさらにもう１つの積木ブロック１０’が嵌合される時、該積木ブロック１０は、前記発光積木用給電部材４０により内部の電気接続モジュールを給電されるものだけでなく、前記発光積木用給電部材４０から前記もう１つの積木ブロック１０’に給電するための媒体でもある。
【００３９】
上述した構成により、使用者が積木ブロック１０を組み立てる時、積木ブロック１０の何れか１つの挿嵌部１１と、もう１つの積木ブロック１０’の何れか１つの嵌入孔１２とを嵌合させると共に、電源に電気接続すれば、内部の発光ダイオード３１が点灯され、優れた視覚効果を提供し、積木で遊ぶ楽しみを向上させることができる。
【００４０】
図６及び図７に示すように、本実施例における他の実施例は、上述した実施例とは基本構成が略同様なものであるが、電気接続モジュールの正極導電部材及び負極導電部材に関する点に異なる。
【００４１】
本実施例において、積木ブロック１０内に配置される電気接続モジュールは、上端と、下端とを有する中空形状の固定柱５０と、互いに接触しないように前記固定柱５０に設置される正極導電部材５１及び負極導電部材５２とを有する。
【００４２】
また、前記正極導電部材５１は主に、上電気接続端子５１１と、下電気接続端子５１２と、スプリング５１３とからなり、前記上電気接続端子５１１及び下電気接続端子５１２の一端は、夫々前記固定柱５０の両端から突出し、第１正極接続部及び第２正極接続部を構成し、前記上電気接続端子５１１及び下電気接続端子５１２の他端は、前記スプリング５１３に当接されると共に、電気接続されるので、前記上電気接続端子５１１及び下電気接続端子５１２を伸縮可能にする。また、前記スプリング５１３と、前記回路基板３２に設けられる発光ダイオード３１とが電気接続される。
【００４３】
前記負極導電部材５２の一端には、前記第１正極接続部の周辺に位置し、上から下へ行くほど螺旋が小径であるテーパー状のコイルスプリングである第１負極接続部５２１が形成される。
【００４４】
前記負極導電部材５２のもう一端には、前記回路基板３２に設けられる発光ダイオード３１に電気接続される湾曲状の弾性プレートである第２負極接続部５２２が形成される。
【００４５】
各前記電気接続モジュールの正極導電部材５１及び負極導電部材５２と前記発光ダイオード３１との電気接続形態は、例えば図４A乃至図４Cに示すような形態であってもよい。
【００４６】
同様に、上述した構成により、使用者が積木ブロック１０を組み立てる時、積木ブロック１０の何れか１つの挿嵌部１１と、もう１つの積木ブロック１０’の何れか１つの嵌入孔１２とを嵌合させると共に、電源に電気接続すれば、上層に位置する積木ブロック１０’の上電気接続端子５１１及び下電気接続端子５１２と、下層に位置する積木ブロック１０の内部の上電気接続端子５１１及び下電気接続端子５１２とが電気接続されるので、給電回路が構成され、内部における電気接続される発光ダイオード３１が点灯される。
【００４７】
前記積木ブロックは、矩形の立方体以外に、他の幾何学的な形状に形成されても良く、また、積木ブロックの上部に、異なる数量の挿嵌部が形成されても構わない。図８及び図９に示すように、積木ブロック１０は長方形体を呈し、上部に２つ又は８つの挿嵌部１１が形成される。また、該積木ブロック１０の内部の構成は、上述した実施例と同様の物であっても良い。なお、前記積木ブロックの形状及び挿嵌部の数量は例示に過ぎないので、本発明の範囲を制限するものではない。
【産業上の利用可能性】
【００４８】
本発明の電気接続構造を備えた発光積木は、上述した構成により、積木ブロック内の発光素子を点灯させ、視覚効果を向上させることができる。
【符号の説明】
【００４９】
１０        積木ブロック
１１        挿嵌部
１２        嵌入孔
２０１      上固定部
２０２      下固定部
２０        固定柱
２１１      第１正極接続部
２１２      第２正極接続部
２１        正極導電部材
２２１      第１負極接続部
２２２      第２正極接続部
２２        負極導電部材
３１        発光ダイオード
３２        回路基板
３３        導線
３４        スイッチ
４０        発光積木用給電部材
４１        挿嵌部
４２        正極電極プレート
４３        負極電極プレート
５０        固定柱
５１        正極導電部材
５１１      上電気接続端子
５１２      下電気接続端子
５１３      スプリング
５２        負極導電部材
５２１      第１負極接続部
５２２      第２負極接続部
【図１】
0005564725.tif 000002
【図２】
0005564725.tif 000003
【図３】
0005564725.tif 000004
【図４】
0005564725.tif 000005
【図５】
0005564725.tif 000006
【図６】
0005564725.tif 000007
【図７】
0005564725.tif 000008
【図８】
0005564725.tif 000009
【図９】
0005564725.tif 000010